(57)【特許請求の範囲】
【請求項１】
第１の取得モジュールが、特定の信号源より送信され受信装置により受信された第１の無線信号を得、前記第１の無線信号の第１の信号品質を算出するステップと、
第２の取得モジュールが、前記第１の信号品質がある期間の間、所定の信号品質の範囲内であることが検知された場合、前記第１の無線信号の信号品質特性を得るステップと、
検知モジュールが、前記信号品質特性が所定の特性サンプルに適合するか否かを検知するステップと、
起動モジュールが、前記信号品質特性が前記所定の特性サンプルに適合した場合、所定の特性サンプルと、特定の操作及び前記特定の操作を実行するインテリジェント家庭用装置の識別の組合せとの対応関係に基づいて、前記特定の操作の実行を起動するステップと、
を含むことを特徴とする特定操作の起動方法。
【請求項２】
特定の信号源により送信され受信装置により受信された第１の無線信号の第１の信号品質を得る前に、更に、
第３の取得モジュールが、サンプル設定期間の間に、前記特定の信号源により送信され前記受信装置により受信された第２の無線信号の第２の信号品質を得るステップと、
スペクトル生成モジュールが、前記サンプル設定期間の間に、前記特定の信号源により送信され前記受信装置により受信された前記第２の無線信号の前記第２の信号品質に従って、信号品質特性スペクトルを得るステップと、
解析モジュールが、前記信号品質特性スペクトルを解析して、解析結果を得るステップと、
設定モジュールが、前記解析結果に従って、前記所定の特性サンプルを設定するステップと、
を含み、
前記サンプル設定期間は、前記所定の特性サンプルを設定するために指定される期間であり、
前記信号品質特性スペクトルは、前記サンプル設定期間の間の各時刻に対応して信号品質を示すように構成されている
ことを特徴とする請求項１に記載の特定操作の起動方法。
【請求項３】
前記サンプル設定期間は、開始時刻としての第１の時刻と所定の長さをもつ期間であるか、又は、前記サンプル設定期間は、開始時刻としての第１の時刻と終了時刻としての第２の時刻をもつ期間であり、
前記第１の時刻は、前記所定の特性サンプルの設定を開始する操作を受信する時刻であり、前記第２の時刻は、前記所定の特性サンプルの設定を停止する操作を受信する時刻である
ことを特徴とする請求項２に記載の特定操作の起動方法。
【請求項４】
前記特定の操作の実行を起動するステップは、
前記所定の特性サンプルに従って、前記特定の操作、及び、前記特定の操作を実行するインテリジェント家庭用装置を探索するステップと、
前記特定の操作を実行するために前記インテリジェント家庭用装置を起動するステップと、
を含むことを特徴とする請求項１乃至請求項３のいずれか１項に記載の特定操作の起動方法。
【請求項５】
前記受信装置は、２以上の信号受信機を備え、
前記特定の操作の実行を起動するステップは、
２以上の前記信号受信機により受信された無線信号の前記第１の信号品質に生じる乱れの順位を決定するステップと、
前記順位と前記所定の特性サンプルに従って、前記特定の操作、及び、前記特定の操作を実行するインテリジェント家庭用装置を探索するステップと、
前記順位に従って、前記特定の操作を決定するステップと、
を含むことを特徴とする請求項１乃至請求項４のいずれか１項に記載の特定操作の起動方法。
【請求項６】
前記特定の信号源は、お互いに隣接して配置される２以上の信号源を備え、
前記第１の信号品質の乱れが生じた時の前記信号品質特性を得るステップは、
２以上の前記信号源により送信され前記受信装置により受信された前記無線信号の前記第１の信号品質の乱れが同時に起こることが検知された場合、２以上の前記信号源により送信され前記受信装置により受信された前記無線信号の前記第１の信号品質における複数の前記信号品質特性を得るステップと、
を含むことを特徴とする請求項１乃至請求項５のいずれか１項に記載の特定操作の起動方法。
【請求項７】
特定の信号源により送信され受信装置により受信された第１の無線信号を得、前記第１の無線信号の第１の信号品質を算出するように構成された第１の取得モジュールと、
前記第１の信号品質がある期間の間、所定の信号品質の範囲内であることが検知された場合、前記第１の無線信号の信号品質特性を得るように構成された第２の取得モジュールと、
前記信号品質特性が所定の特性サンプルに適合するか否か検知するように構成された検知モジュールと、
前記信号品質特性が前記所定の特性サンプルに適合する場合、所定の特性サンプルと、特定の操作及び前記特定の操作を実行するインテリジェント家庭用装置の識別の組合せとの対応関係に基づいて、前記特定の操作の実行を起動するように構成された起動モジュールと、を備えることを特徴とする特定操作の起動装置。
【請求項８】
前記第１の取得モジュールが特定の信号源により送信され受信装置により受信された前記第１の無線信号の前記第１の信号品質を得る前に、サンプル設定期間の間に、特定の信号源により送信され受信装置により受信された第２の無線信号の第２の信号品質を得るように構成された第３の取得モジュールと、
前記サンプル設定期間の間に、特定の信号源により送信され受信装置により受信された前記第２の無線信号の前記第２の信号品質に従って、信号品質特性スペクトルを生成するように構成されたスペクトル生成モジュールと、
前記信号品質特性スペクトルを解析して解析結果を得るように構成された解析モジュールと、
前記解析結果に従って前記所定の特性サンプルを設定するように構成された設定モジュールと、
を備え、
前記サンプル設定期間は、前記所定の特性サンプルを設定するために指定される期間であり、
前記信号品質特性スペクトルは、前記サンプル設定期間の間の各時刻に対応して信号品質を示すように構成されている
ことを特徴とする請求項７に記載の特定操作の起動装置。
【請求項９】
前記サンプル設定期間は、開始時刻としての第１の時刻と所定の長さをもつ期間であるか、又は、前記サンプル設定期間は、開始時刻としての第１の時刻と終了時刻としての第２の時刻をもつ期間であり、
前記第１の時刻は、前記所定の特性サンプルの設定を開始する操作を受信する時刻であり、前記第２の時刻は、前記所定の特性サンプルの設定を停止する操作を受信する時刻である
ことを特徴とする請求項８に記載の特定操作の起動装置。
【請求項１０】
前記起動モジュールは、
前記所定の特性サンプルに従って、前記特定の操作、及び、前記特定の操作を実行するインテリジェント家庭用装置を探索するように構成された第１の探索サブモジュールと、
前記特定の操作を実行するために前記インテリジェント家庭用装置を起動するように構成された第１の起動サブモジュールと、を備える
ことを特徴とする請求項７乃至請求項９のいずれか１項に記載の特定操作の起動装置。
【請求項１１】
前記受信装置は、２以上の信号受信機を備え、
前記起動モジュールは、
前記特定の操作の実行を起動する前に、２以上の前記信号受信機により受信された無線信号の第１の信号品質に生じる乱れの順位を決定するように構成された決定サブモジュールと、
前記順位と前記所定の特性サンプルに従って、前記特定の操作、及び、前記特定の操作を実行するインテリジェント家庭用装置を探索するように構成された第２の探索サブモジュールと、
前記特定の操作を実行するために、前記インテリジェント家庭用装置を起動するように構成された第２の起動サブモジュールと、を備える
ことを特徴とする請求項７乃至請求項１０のいずれか１項に記載の特定操作の起動装置。
【請求項１２】
前記特定の信号源は、お互いに隣接して配置される２以上の信号源を備え、
前記第２の取得モジュールは、更に、２以上の前記信号源により送信され受信装置により受信された前記無線信号の前記第１の信号品質の乱れが同時に起こることが検知された場合、２以上の前記信号源により送信され受信装置により受信された前記無線信号の前記第１の信号品質における複数の前記信号品質特性を得るように構成されている
ことを特徴とする請求項７乃至請求項１１のいずれか１項に記載の特定操作の起動装置。
【請求項１３】
コンピュータ上で動作する請求項１乃至請求項６のいずれか１項に記載の特定操作の起動方法を前記コンピュータに実行させるためのコンピュータプログラム。
【請求項１４】
請求項１３に記載のコンピュータプログラムが記憶されるように構成されるコンピュータ読み取り可能な記憶媒体。
【請求項１５】
受信装置と、
特定の信号源と、
請求項７乃至請求項１２のいずれか１項に記載の特定操作の起動装置と、
を備え、
前記特定操作の起動装置は、前記受信装置の一部であるか、又は、前記特定操作の起動装置は、前記受信装置から分離された装置である
ことを特徴とする特定操作の起動システム。
【発明の詳細な説明】
【技術分野】
【０００１】
［関連出願への相互参照］
本出願は、２０１５年７月３１日に中国国家知識産権局に出願された中国特許出願Ｎｏ．２０１５１０４６３５３４．２に基づくとともに当該出願への優先権を主張し、その全体の内容が参照によってここに取り込まれる。
【０００２】
［技術分野］
本発明は、スマートホーム技術の分野に関連し、具体的には、特定の操作を起動する方法および装置に関係する。
【背景技術】
【０００３】
家庭における自動化は、スマートホームシステムの核心となる機能の１つである。多くのインテリジェント家庭用装置は自動的にある特定の操作を起動するであろう。
関連技術においては、特定の操作を自動的に起動することを実現するために、専用のセンサがスマートホームシステムの中に配置される。センサが所定の状態を検知すると、関係するインテリジェント家庭用装置は特定の操作を実行するために起動されるであろう。例えば、照明装置の点灯／消灯の自動制御を例としてとると、赤外線センサが前もって部屋の入り口に配置されており、赤外線センサは誰かが部屋の中に入ってくるを検知すると、部屋の中の照明装置は自動的に点灯されるであろう。
【先行技術文献】
【特許文献】
【０００４】
【特許文献１】特開２０１４−１０９４２０号公報
【発明の概要】
【発明が解決しようとする課題】
【０００５】
本発明の実施形態は、特定操作の起動方法および起動装置を提供する。技術的な解決手段は次のとおりである。
【課題を解決するための手段】
【０００６】
本発明の実施形態の第１の側面によると、第１の取得モジュールが、特定の信号源より送信され受信装置により受信された第１の無線信号を得、前記第１の無線信号の第１の信号品質を算出するステップと、第２の取得モジュールが、前記第１の信号品質がある期間の間、所定の信号品質の範囲内であることが検知された場合、前記第１の無線信号の信号品質特性を得るステップと、検知モジュールが、前記信号品質特性が所定の特性サンプルに適合するか否かを検知するステップと、起動モジュールが、前記信号品質特性が前記所定の特性サンプルに適合した場合、所定の特性サンプルと、特定の操作及び前記特定の操作を実行するインテリジェント家庭用装置の識別の組合せとの対応関係に基づいて、前記特定の操作の実行を起動するステップと、を含むことを特徴とする特定操作の起動方法が提供される。
【０００７】
代替的に、特定の信号源により送信され受信装置により受信された第１の無線信号の第１の信号品質を得る前に、更に、第３の取得モジュールが、サンプル設定期間の間に、前記特定の信号源により送信され前記受信装置により受信された第２の無線信号の第２の信号品質を得るステップと、スペクトル生成モジュールが、前記サンプル設定期間の間に、前記特定の信号源により送信され前記受信装置により受信された前記第２の無線信号の前記第２の信号品質に従って、信号品質特性スペクトルを得るステップと、解析モジュールが、前記信号品質特性スペクトルを解析して、解析結果を得るステップと、設定モジュールが、前記解析結果に従って、前記所定の特性サンプルを設定するステップと、を含み、前記サンプル設定期間は、前記所定の特性サンプルを設定するために指定される期間であり、前記信号品質特性スペクトルは、前記サンプル設定期間の間の各時刻に対応して信号品質を示すように構成されている。
【０００８】
代替的に、前記サンプル設定期間は、開始時刻としての第１の時刻と所定の長さをもつ期間であるか、又は、前記サンプル設定期間は、開始時刻としての第１の時刻と終了時刻としての第２の時刻をもつ期間であり、前記第１の時刻は、前記所定の特性サンプルの設定を開始する操作を受信する時刻であり、前記第２の時刻は、前記所定の特性サンプルの設定を停止する操作を受信する時刻である。
【０００９】
代替的に、前記特定の操作の実行を起動するステップは、前記所定の特性サンプルに従って、前記特定の操作、及び、前記特定の操作を実行するインテリジェント家庭用装置を探索するステップと、前記特定の操作を実行するために前記インテリジェント家庭用装置を起動するステップと、を含む。
【００１０】
代替的に、前記受信装置は、２以上の信号受信機を備え、前記特定の操作の実行を起動するステップは、２以上の前記信号受信機により受信された無線信号の前記第１の信号品質に生じる乱れの順位を決定するステップと、前記順位と前記所定の特性サンプルに従って、前記特定の操作、及び、前記特定の操作を実行するインテリジェント家庭用装置を探索するステップと、前記順位に従って、前記特定の操作を決定するステップと、を含む。
【００１１】
代替的に、前記特定の信号源は、お互いに隣接して配置される２以上の信号源を備え、前記第１の信号品質の乱れが生じた時の前記信号品質特性を得るステップは、２以上の前記信号源により送信され前記受信装置により受信された前記無線信号の前記第１の信号品質の乱れが同時に起こることが検知された場合、２以上の前記信号源により送信され前記受信装置により受信された前記無線信号の前記第１の信号品質における複数の前記信号品質特性を得るステップと、を含む。
【００１２】
本発明の実施形態の第２の側面によると、特定の信号源により送信され受信装置により受信された第１の無線信号を得、前記第１の無線信号の第１の信号品質を算出するように構成された第１の取得モジュールと、前記第１の信号品質がある期間の間、所定の信号品質の範囲内であることが検知された場合、前記第１の無線信号の信号品質特性を得るように構成された第２の取得モジュールと、前記信号品質特性が所定の特性サンプルに適合するか否か検知するように構成された検知モジュールと、前記信号品質特性が前記所定の特性サンプルに適合する場合、所定の特性サンプルと、特定の操作及び前記特定の操作を実行するインテリジェント家庭用装置の識別の組合せとの対応関係に基づいて、前記特定の操作の実行を起動するように構成された起動モジュールと、を備えることを特徴とする特定操作の起動装置が提供される。
【００１３】
代替的に、前記第１の取得モジュールが特定の信号源により送信され受信装置により受信された前記第１の無線信号の前記第１の信号品質を得る前に、サンプル設定期間の間に、特定の信号源により送信され受信装置により受信された第２の無線信号の第２の信号品質を得るように構成された第３の取得モジュールと、前記サンプル設定期間の間に、特定の信号源により送信され受信装置により受信された前記第２の無線信号の前記第２の信号品質に従って、信号品質特性スペクトルを生成するように構成されたスペクトル生成モジュールと、前記信号品質特性スペクトルを解析して解析結果を得るように構成された解析モジュールと、前記解析結果に従って前記所定の特性サンプルを設定するように構成された設定モジュールと、を備え、前記サンプル設定期間は、前記所定の特性サンプルを設定するために指定される期間であり、前記信号品質特性スペクトルは、前記サンプル設定期間の間の各時刻に対応して信号品質を示すように構成されている。
【００１４】
代替的に、前記サンプル設定期間は、開始時刻としての第１の時刻と所定の長さをもつ期間であるか、又は、前記サンプル設定期間は、開始時刻としての第１の時刻と終了時刻としての第２の時刻をもつ期間であり、前記第１の時刻は、前記所定の特性サンプルの設定を開始する操作を受信した時刻であり、前記第２の時刻は、前記所定の特性サンプルの設定を停止する操作を受信した時刻である。
【００１５】
代替的に、前記起動モジュールは、前記所定の特性サンプルに従って、前記特定の操作、及び、前記特定の操作を実行するインテリジェント家庭用装置を探索するように構成された第１の探索サブモジュールと、前記特定の操作を実行するために前記インテリジェント家庭用装置を起動するように構成された第１の起動サブモジュールと、を備える。
【００１６】
代替的に、前記受信装置は、２以上の信号受信機を備え、前記起動モジュールは、前記特定の操作の実行を起動する前に、２以上の前記信号受信機により受信された無線信号の第１の信号品質に生じる乱れの順位を決定するように構成された決定サブモジュールと、前記順位と前記所定の特性サンプルに従って、前記特定の操作、及び、前記特定の操作を実行するインテリジェント家庭用装置を探索するように構成された第２の探索サブモジュールと、前記特定の操作を実行するために、前記インテリジェント家庭用装置を起動するように構成された第２の起動サブモジュールと、を備える。
【００１７】
代替的に、前記特定の信号源は、お互いに隣接して配置される２以上の信号源を備え、前記第２の取得モジュールは、更に、２以上の前記信号源により送信され受信装置により受信された前記無線信号の前記第１の信号品質の乱れが同時に起こることが検知された場合、２以上の前記信号源により送信され受信装置により受信された前記無線信号の前記第１の信号品質における複数の前記信号品質特性を得るように構成されている。
【００１８】
本発明の実施形態の第３の側面によると、コンピュータ上で動作する前述の特定操作の起動方法を前記コンピュータに実行させるためのコンピュータプログラムが提供される。
本発明の実施形態の第４の側面によると、前述のコンピュータプログラムが記憶されるように構成されるコンピュータ読み取り可能な記憶媒体が提供される。
【００１９】
本発明の実施形態の第５の側面によると、受信装置と、特定の信号源と、本発明の実施形態の第２の側面に係る特定操作の起動装置と、を備え、前記特定操作の起動装置は、前記受信装置の一部であるか、又は、前記特定操作の起動装置は、前記受信装置から分離された装置であることを特徴とする特定操作の起動システムが提供される。

【発明の効果】
【００２０】
本発明の実施形態において提供される技術的な解決手段は、次のような有利な効果を奏するであろう。
【００２１】
特定の信号源より送信され受信装置により受信された第１の無線信号の第１の信号品質を得ることと、前記第1の信号品質の乱れが生じたことが検知された場合、前記第1の信号品質の乱れが生じた時の信号品質特性を得ることと、前記信号品質特性が所定の特性サンプルに適合するか否かを検知することと、前記信号品質特性が前記所定の特性サンプルに適合した場合、特定の操作の実行を起動することにより、特定の信号源より送信され受信装置により受信された第１の無線信号の第１の信号品質に生じる乱れに基づいて、人や物の通過があることを判定した後、特定の操作が実行するために起動される。その結果、無線通信技術の応用シナリオを拡大する効果が達成される。
【００２２】
前述の一般的な記述と次に続く詳細な記述の両方は、例示および説明のためのものであり、請求項に係る発明を限定するものではないと理解されるべきである。
【図面の簡単な説明】
【００２３】
本明細書に取り入れられその一部を構成する添付図面は、本発明と整合する実施形態を例示し、詳細な説明とともに本発明の原理を説明するのに役立つものである。
【００２４】
【図１】いくつかの例となる実施形態に係る特定操作の起動方法に関係する実行環境を例示する構成図である
【００２５】
【図２】例となる実施形態に係る特定操作の起動方法を示すフローチャートである。
【００２６】
【図３Ａ】別の例となる実施形態に係る特定操作の起動方法を示すフローチャートである。
【００２７】
【図３Ｂ】別の例となる実施形態に係る受信装置と特定の信号源を例示する構成図である。
【００２８】
【図４Ａ】更なる例となる実施形態に係るサンプルの設定方法を示すフローチャートである。
【００２９】
【図４Ｂ】更なる例となる実施形態に係る信号品質特性スペクトルを例示する構成図である。
【００３０】
【図５】例となる実施形態に係る特定操作の起動装置を示すブロック図である。
【００３１】
【図６】別の例となる実施形態に係る特定操作の起動装置を示すブロック図である。
【００３２】
【図７】例となる実施形態に係る装置を示すブロック図である。
【発明を実施するための形態】
【００３３】
例となる実施形態や添付図面において図示される例へ詳細に言及を行う。以下の記述では添付図面へ言及する。添付図面において、異なる図面の同一の符号は、他に示されなければ、同一の又は類似する構成要素を示す。例となる実施形態の以下の記述において明らかにされる実装は、本発明と整合する全ての実装を表すものではない。そうではなく、それらは、添付の特許請求の範囲に列挙される本発明に関連する観点と整合する装置及び方法の単なる例示にすぎない。
【００３４】
図１は、本発明のいくつかの例となる実施形態に係る特定操作の起動方法に関係する実装環境を例示する構成図である。この実装環境は、受信装置１１０、信号源１２０、制御装置１３０、及び、インテリジェント家庭用装置１４０を含む。
【００３５】
受信装置１１０と信号源１２０は共に、少なくとも１つの無線通信技術、例えばＷｉ−Ｆｉ（Wireless Fidelity）技術をサポートする。
【００３６】
受信装置１１０とインテリジェント家庭用装置１４０は、それぞれ有線又は無線路を介して制御装置１３０に接続される。
【００３７】
可能な実装においては、受信装置１１０、制御装置１３０、及び、インテリジェント家庭用装置１４０のいずれか２つは、同一の装置であってもよい。
【００３８】
または、他の可能な実装においては、受信装置１１０、制御装置１３０、及び、インテリジェント家庭用装置１４０は、同一の装置であってもよい。
【００３９】
代替的に、実装環境は更にサーバ１５０を含む。
【００４０】
サーバ１５０は、１つのサーバか、複数のサーバから構成されるサーバクラスタか、又は、クラウドコンピューティングサービスセンターであってもよい。サーバ１５０は、インターネットを介して制御装置１３０と接続される。
【００４１】
図１で示される実装環境において、信号源１２０と受信装置１１０の位置は固定されており、信号源１２０によって発せられる無線信号は、受信装置１１０を覆う無線信号場を形成する。信号源１２０は、無線信号場を経由して、ブロードキャストメッセージ又はポイントツーポイントメッセージを伝送し、各メッセージは、信号源１２０のデバイス識別子、例えばＭＡＣ（Media Access Control）アドレスを搬送する。受信装置１１０は、デバイス識別子に従って信号源１２０を特定し、信号源１２０から送信され受信した無線信号の信号品質を算出する。信号源１２０と受信装置１１０との間に、障害物又は静止した障害物がないときは、信号源１２０と受信装置１１０との間の無線信号場は安定する傾向にあり、信号源１２０により送信され受信装置１１０により受信された無線信号の信号品質は変動しにくい。誰か又は何かが信号源１２０と受信装置１１０との間を通過するとき、信号源１２０により発せられる無線信号は、妨害されやくすく、それゆえ、信号源１２０と受信装置１１０との間の無線信号場において乱れが生じる結果となり、さらに、信号源１２０により送信され受信装置１１０により受信される無線信号の信号品質において乱れが生じる結果となる。本発明の様々な実施形態による技術的な解決手段は、信号源１２０により送信され受信装置１１０により受信された無線信号の信号品質に基づいて、信号源１２０と受信装置１１０との間の無線信号場に乱れが生じたか否かを正確に検知し、さらに、信号源１２０と受信装置１１０との間に誰か又は何かの通行があったか否かを決定し、これを特定の操作の起動条件とする。
【００４２】
体積において大きな違いをもつ異なる物体が信号源１２０と受信装置１１０との間を通過するとき、無線信号場への影響は異なったものとなり、それゆえ、信号源１２０により送信され受信装置１１０により受信される無線信号の信号品質において、異なった乱れが生じる結果となる。このように、無線信号の信号品質に生じる乱れに基づいて誰か／何かが通行したか否かが決定され、それにより特定の操作が起動される。
【００４３】
図２は、例となる実施形態に係る特定操作の起動方法を示すフローチャートである。特定操作の起動方法は、図１に示す実装環境の制御装置１３０又はサーバ１５０に適用される。図２に示すように、特定操作の起動方法は、以下のステップを含む。
【００４４】
ステップ２０２において、特定の信号源により送信され受信装置により受信された第１の無線信号の第１の信号品質が得られる。
【００４５】
ステップ２０４において、第1の信号品質の乱れが生じたことが検知された場合、第1の信号品質の乱れが生じた時の第１の信号品質特性が得られる。
【００４６】
ステップ２０６において、信号品質特性が所定の特性サンプルに適合するか否かが検知される。
【００４７】
ステップ２０８において、信号品質特性が所定の特性サンプルに適合した場合、特定の操作が実行するために起動される。
【００４８】
代替的に、特定の信号源により送信され受信装置により受信された第１の無線信号の第１の信号品質が得られる前に、本方法はさらに以下のステップを含んでもよい。
サンプル設定期間の間に、特定の信号源により送信され受信装置により受信された第２の無線信号の第２の信号品質を得るステップ。ここで、サンプル設定期間は、所定の特性サンプルを設定するために指定された期間である。
サンプル設定期間の間に、特定の信号源により送信され受信装置により受信された第２の無線信号の第２の信号品質に従って、信号品質特性スペクトルを得るステップ。ここで、信号品質特性スペクトルは、サンプル設定期間の間の各時刻に対応して信号品質を示すように構成されている。
信号品質特性スペクトルを解析して、解析結果を得るステップ。
そして、解析結果に従って、所定の特性サンプルを設定するステップ。
【００４９】
代替的に、サンプル設定期間は、開始時刻としての第１の時刻と所定の長さをもつ期間であり、又は、サンプル設定期間は、開始時刻としての第１の時刻と終了時刻としての第２の時刻をもつ期間である。
ここで、第１の時刻は、所定の特性サンプルの設定を開始する操作を受信した時刻である。第２の時刻は、所定の特性サンプルの設定を停止する操作を受信した時刻である。
【００５０】
代替的に、特定の操作の実行を起動するステップは、以下のステップを含む。
所定の特性サンプルに従って、特定の操作、及び、特定の操作を実行するインテリジェント家庭用装置を探索するステップ。
そして、特定の操作を実行するためにインテリジェント家庭用装置を起動するステップ。
【００５１】
代替的に、受信装置は、２以上の信号受信機を含み、特定の操作の実行を起動するステップは、以下のステップを含む。
２以上の信号受信機により受信された無線信号の第１の信号品質に生じる乱れの順位を決定するステップ。
順位と所定の特性サンプルに従って、特定の操作、及び、特定の操作を実行するインテリジェント家庭用装置を探索するステップ。
そして、順位に従って、特性の操作を決定するステップ。
【００５２】
代替的に、特定の信号源は、お互いに隣接して配置される２以上の信号源を含み、第１の信号品質の乱れが生じた時の信号品質特性を得るステップは、以下のステップを含む。
２以上の信号源により送信され受信装置により受信された無線信号の第１の信号品質の乱れが同時に起こることが検知された場合、２以上の信号源により送信され受信装置により受信された無線信号の第１の信号品質における複数の信号品質特性を得るステップ。
【００５３】
要約すると、特定の信号源より送信され受信装置により受信された第１の無線信号の第１の信号品質を得るステップと、第1の信号品質の乱れが生じたことが検知された場合、第1の信号品質の乱れが生じた時の信号品質特性を得るステップと、信号品質特性が所定の特性サンプルに適合するか否かを検知するステップと、信号品質特性が所定の特性サンプルに適合した場合、特定の操作の実行を起動するステップとにより、本発明の実施形態に係る特定操作の起動方法は、特定の信号源より送信され受信装置により受信された第１の無線信号の第１の信号品質に生じた乱れに基づいて、人や物の通過があることを判定した後、実行されるべき特定の操作を起動する。その結果、無線通信技術の応用シナリオを拡大する効果が達成される。
【００５４】
本発明の上述の実施形態に従った全ての方法は、図１に示した実装環境における制御装置１３０により実行されるか、サーバ１５０により実行されるか、又は、部分的に制御装置１３０によりまた部分的にサーバ１５０により実行される。本発明の以下の実施形態において、説明のための例としてサーバ１５０が上述の方法を実行するものとする。
【００５５】
図３Ａは、別の例となる実施形態に係る特定操作の起動方法を示すフローチャートである。特定操作の起動方法は、図１に示した実装環境のサーバ１５０に適用される。図３Ａに示すように、特定操作の起動方法は、以下のステップを含む。
【００５６】
ステップ３０１において、特定の信号源により送信され受信装置により受信された第１の無線信号の第１の信号品質が得られる。
【００５７】
本発明の実施形態において、第１の無線信号の第１の信号品質は、ＲＳＳＩ（Receive Signal Strength Indicator；受信信号強度）の値によって表される。
【００５８】
ステップ３０２において、第1の信号品質の乱れが生じたことが検知された場合、第1の信号品質の乱れが生じた時の信号品質特性が得られる。
【００５９】
代替的に、第１の信号品質の乱れが生じたか否かが検知される時、第１の信号品質がある期間の間、所定の信号品質の範囲内であるか否かが検知されてもよく、もしそうであるならば、第１の信号品質の乱れが生じたことが指し示されており、その時に、第１の信号品質の乱れが生じた時の信号品質特性が得られる。
【００６０】
誰か／何かが通過することによって引き起こされる無線信号の乱れの特性は、無線信号の信号品質は短期間に大きく変化し、この変化は短い持続期間存続する、ということである。したがって、本発明の実施形態において提供される技術的な解決手段は、第１の信号品質がある期間の間、所定の信号品質の範囲内にあることを検知したときのみ、第１の信号品質に乱れが生じたことを決定する。
【００６１】
代替的に、特定の信号源は、１つの信号源を含んでもよく、又は、特定の信号源は、互いに隣接して配置された２以上の信号源を含んでもよい。特定の信号源が、互いに隣接して配置された２以上の信号源を含む場合、２以上の信号源により送信され受信装置により受信された無線信号の第１の信号品質の乱れが生じた時の信号品質特性を得るステップは、２以上の信号源により送信され受信装置により受信された無線信号の第１の信号品質において、乱れが同時に生じたことが検知されたときにのみ実行される。
【００６２】
実際には、誰か／何かが特定の情報源と受信装置の間を通過することがない時、特定の情報源の故障により乱れが第１の信号品質に生じるかもしれず、それによって、誤った検知をする結果となる。できる限りこの状況を回避するために、特定の情報源は２以上の信号源を含み、２以上の信号源はお互いに隣接して配置され、同じ電力で無線信号を送信する。その結果、空間における無線信号場の被覆状態は同一となる。ある瞬間において、１つの信号源により送信され受信装置により受信された第１の無線信号の第１の信号品質に乱れが生じたが、別の信号源により送信され受信装置により受信された無線信号の第１の信号品質に乱れが生じていない場合、無線信号の乱れが信号源の故障により引き起こされたということを指し示しており、従って処理は必要ない。２以上の信号源により送信され受信装置により受信された無線信号の第１の信号品質の乱れが生じた時の信号品質特性は、２以上の信号源により送信され受信装置により受信された無線信号の第１の信号品質の乱れが同時に生じたことが検知された時のみ得られるであろう。
【００６３】
ステップ３０３において、信号品質特性が所定の特性サンプルに適合するか否かが検知される。
【００６４】
信号品質特性は、最小信号品質、平均信号品質、障害期間の少なくとも１つを含む。
【００６５】
受信装置は、実時間で、特定の信号源により送信された第１の無線信号の信号強度を受信するとともに算出し、サーバへ信号強度を送信する。サーバは、信号強度がある瞬間に０ｄＢｍより小さいと判断されたならば、特定の信号源により送信され受信装置により受信された第１の無線信号の第１の信号品質に乱れが生じたと判定する。そして、サーバは、この乱れの処理において、最小信号品質、平均信号品質、障害期間を抽出する。最小信号品質が［−７５ｄＢｍ，−６５ｄＢｍ］の範囲内にあり、平均信号品質が［−１０ｄＢｍ，０ｄＢｍ］の範囲内にあり、障害期間が［１．５ｓ，３．５ｓ］の範囲内にあるならば、信号品質特性が所定の特性サンプルに適合すると決定される。
【００６６】
ステップ３０４において、所定の特性サンプルに基づいて、特定の操作と、特定の操作を実行するインテリジェント家庭用装置が探索される。
【００６７】
ステップ３０５において、インテリジェント家庭用装置が、特定の操作を実行するために起動される。
【００６８】
スマートホームは、多くの検知システムとともに提供され、様々なインテリジェント家庭用装置を制御して様々な特定の操作を実行するように構成されており、各検知システムは、特定の信号源と受信装置とともに提供される。例えば、家の門の前に配置された検知システムは、セキュリティ保護システムを制御して、ビデオ監視を開始したり警告したりするように構成されており、寝室の入り口に配置された検知システムは、寝室の照明器具を制御して、オン／オフにするように構成されている、などである。所定の特性サンプルと、特定の操作及び特定の操作を実行するインテリジェント家庭用装置の識別の組合せとの対応関係は、サーバに予め記憶されている。１つの検知システムにおいて、特定の信号源と受信装置との間に、誰か／何かの通行があった時、サーバは、対応する特性サンプルに従って、特定の操作と、特定の操作を実行するためのインテリジェント家庭用装置とを探索し、その後、制御命令をインテリジェント家庭用装置に送信して、インテリジェント家庭用装置が特定の操作を実行するように制御する。
【００６９】
本発明の実施形態の上述の技術的な解決手段において、説明するための例として、受信装置が１つの受信機を介して、特定の信号源により送信された無線信号を受信するとしただけである。代替的に、本発明の実施形態の別の可能な実装においては、受信装置は２以上の受信機を含んでもよい。特定の操作の実行を起動する際、２以上の受信機により受信された無線信号の第１の信号品質に生じる乱れの順位が決定され、その後、順位と所定の特性サンプルに従って、特定の操作と特定の操作を実行するインテリジェント家庭用装置が探索され、その後、順位に従って、特定の操作が決定される。
【００７０】
例えば、図３Ｂは、例となる実施形態に係る受信装置と特定の信号源を例示する構成図であり、受信装置３１０は、少なくとも第１の信号受信機３１１と第２の信号受信機３１２を含む。第１の信号受信機３１１、第２の信号品質３１２、及び、特定の信号源３２０は、同一直線上にない。第１の信号受信機３１１により受信された第１の無線信号の第１の信号品質に生じる乱れが、第２の信号受信機３１２により受信された第１の無線信号の第１の信号品質に生じる乱れより先である時は、矢印３３０によって示された方向に沿って、受信装置３１０と特定の信号源３２０との間に誰か／何かの通過があったことが決定されるであろう。逆に、第１の信号受信機３１１により受信された第１の無線信号の第１の信号品質に生じる乱れが、第２の信号受信機３１２により受信された第１の無線信号の第１の信号品質に生じる乱れより後である時は、矢印３４０によって示された方向に沿って、受信装置３１０と特定の信号源３２０との間に誰か／何かの通過があったことが決定されるであろう。サーバは、誰か／何かが通過する方向と結び付けることにより、様々な特定の操作を決定してもよい。例えば、異なった方向に従って、それぞれインテリジェント装置をオンにすることや、照明装置をオフにすることの特定の操作が決定される。
【００７１】
本発明の実施形態により提供される技術的な解決手段において、上述のステップの全てがサーバにより実現される、ということに注意すべきである。実際には、上述のステップは、サーバなしで、例えばスマートルータなどスマートホームの制御装置によって実現されるであろう。または、上述のステップは、サーバと制御装置との協調によっても実現されるであろう。例えば、上述のステップ３０１−３０３はサーバにより実現され、上述のステップ３０４−３０８は制御装置により実現されるであろう。
【００７２】
要約すると、特定の信号源より送信され受信装置により受信された第１の無線信号の第１の信号品質を得るステップと、第1の信号品質の乱れが生じたことが検知された場合、第1の信号品質の乱れが生じた時の信号品質特性を得るステップと、信号品質特性が所定の特性サンプルに適合するか否かを検知するステップと、信号品質特性が所定の特性サンプルに適合した場合、特定の操作の実行を起動するステップとにより、本発明の実施形態に係る特定操作の起動方法は、特定の信号源より送信され受信装置により受信された第１の無線信号の第１の信号品質に生じた乱れに基づいて、人や物の通過があることを判定した後、実行されるべき特定の操作を起動する。その結果、無線通信技術の応用シナリオを拡大する効果が達成される。
【００７３】
本発明の上述の実施形態において、所定の特性サンプルは、実際の応用に生じるあり得るシナリオに基づいて、前もって開発者によって一律に設定され、記憶されたサンプルである。すなわち、開発者は、様々なあり得るシナリオにおいて、受信装置と特定の情報源との間の起動条件を満たす誰か／何かの通過による信号品質の乱れに従って、１つ以上の特性サンプルを設定してもよく、そして、１つ以上の特性サンプルは、関連する装置に記憶される。同一の特性サンプルは、対応する全てのシナリオにおいて設定されてよく、または、異なった特性サンプルは、対応する異なったシナリオにおいて設定されてよい。そして、ユーザは、システムが起動された後、実際の応用に従って、対応するシナリオと特性サンプルとを選択してよい。
【００７４】
または、所定の特性サンプルは、上述のステップ３０１の前に、実際の応用環境に従って、ユーザによって設定されてもよい。１つの特定の操作に対応する所定の特性サンプルをユーザが設定することは、図４Ａに示す本発明の実施形態において例示されるであろう。
【００７５】
図４Ａは、例となる実施形態に係るサンプルの設定方法を示すフローチャートである。この方法は、図３に示された上述のステップ３０１の前に所定の特性サンプルを設定するために用いられ、次のステップを含む。
【００７６】
ステップ４０１において、サンプル設定期間の間に、特定の信号源により送信され受信装置により受信された第２の無線信号の第２の信号品質が得られる。
【００７７】
サンプル設定期間は、所定の特性サンプルを設定するための指定された期間である。
【００７８】
代替的に、サンプル設定期間は、開始時刻としての第１の時刻と所定の長さをもつ期間であり、又は、サンプル設定期間は、開始時刻としての第１の時刻と終了時刻としての第２の時刻をもつ期間である。
【００７９】
第１の時刻は、所定の特性サンプルの設定を開始する操作を受信した時刻である。第２の時刻は、所定の特性サンプルの設定を停止する操作を受信した時刻である。
【００８０】
ステップ４０２において、サンプル設定期間の間に、特定の信号源により送信され受信装置により受信された第２の無線信号の第２の信号品質に従って、信号品質特性スペクトルが生成される。
【００８１】
信号品質特性スペクトルは、サンプル設定期間の間の各時刻に対応して信号品質を示すように構成されている。
【００８２】
ステップ４０３において、信号品質特性スペクトルが解析され解析結果を得て、そして、所定の特性サンプルが解析結果に従って設定される。
【００８３】
ステップ４０４において、特定の操作に対する所定の特性サンプルと、特定の操作を実行するインテリジェント家庭用装置との結合関係が確立される。
【００８４】
図１に示される実装環境を実装した後、ユーザは、特定の信号源と受信装置との間に誰か／何かの通過があった時の短期間の信号品質の縮図となる乱れの所定の特性サンプルを設定する。そして、この設定処理は次のように説明される。
【００８５】
１．ユーザは、制御装置を介して初期化命令を発行し、その後、ユーザは、信号源と受信装置との間を通過する。所定の特性サンプルの精度を改善するために、ユーザは、この処理の間、信号源と受信装置との間を何回も通過してもよい。
【００８６】
２．ユーザが制御装置を介して初期化命令を発行した後、受信装置は、サンプル設定期間に入り、サンプル設定期間の間に信号源から送信された第２の無線信号を受信して第２の信号品質を算出し、第２の信号品質をサーバへ送信する。この特定の期間は、ユーザが制御装置を介して初期化命令を発行した時の第１の時刻から、ユーザが制御装置を介して初期化の終了命令を発行した時の第２の時刻までの期間である。または、この期間は、ユーザが制御装置を介して初期化命令を発行した後の固定された長さの期間であり、例えば１分である。
【００８７】
３．第２の信号品質を受信した後、サーバは、第２の信号品質に対応する信号品質特性スペクトルを生成する。
【００８８】
４．サーバは、信号品質特性スペクトルを解析して解析結果を得て、その後、解析結果に基づいて所定の特性サンプルを設定する。
【００８９】
図４Ｂは、信号品質特性スペクトルを示したものである。図４では、Ｘ軸は、時間を示し、Ｙ軸は、特定の信号源により送信され受信装置により受信された第２の無線信号のＲＳＳＩ値を示す。設定値が、例として所定の特性サンプルにおいて、最小信号品質の範囲、平均信号品質の範囲、及び、障害期間の範囲を含むとしよう。図４Ｂに示されるように、乱れが生じない時、第２の信号品質のＲＳＳＩ値は６０ｄＢｍに近く、その後、第２の信号品質のＲＳＳＩ値において３つの乱れの発生があり、その持続期間はそれぞれ２秒、２．５秒、及び３秒であり、そのＲＳＳＩの最小値はそれぞれ−６８ｄＢｍ、−７０ｄＢｍ、及び−７２ｄＢｍである。そして、計算の後、平均のＲＳＳＩ値が得られ、それらは、それぞれ３つの乱れに対応して、−５ｄＢｍ、−６ｄＢｍ、及び−７ｄＢｍである。所定の特性サンプルを設定する場合、上述のデータの範囲は、適当に緩和されてもよく、例えば、所定の特性サンプルの最小信号品質の値の範囲は、［−７５ｄＢｍ，−６５ｄＢｍ］であり、所定の特性サンプルの平均信号品質の値の範囲は、［−１０ｄＢｍ，０ｄＢｍ］であり、所定の特性サンプルの障害期間の値の範囲は、［１．５ｓ，３．５ｓ］である。
【００９０】
制御装置を介してユーザにより発行された初期化命令において、特定の操作と、特定の操作を実行するためのインテリジェント装置の識別とが実行される。サーバが所定の特性サンプルを設定した後、特定の操作に対する所定の特性サンプルと、特定の操作を実行するためのインテリジェント装置の識別との対応関係が確立される。
【００９１】
代替的に、受信装置が２以上の信号受信機を含む場合、サーバは、それぞれ各信号受信機に対して、所定の特性サンプルを設定し、各信号受信機により受信された無線信号の第１の信号品質において生じる乱れの順位を記録する。そして、サーバは、信号受信機に対応する所定の特性サンプルと、各信号受信機により受信された無線信号の第１の信号品質において生じる乱れの順位と、特定の操作と、特定の操作を実行するためのインテリジェント装置の識別との対応関係を確立する。
【００９２】
代替的に、本発明の実施形態により提供される技術的な解決手段において、第１の信号品質に生じる乱れの判定範囲は、上述の信号品質特性スペクトルに従って設定されてよい。すなわち、第１の信号品質が図３に示したステップ３０４における判定範囲内にあることが検知された時のみ、乱れが第１の信号品質に生じたと考えられる。
【００９３】
要約すると、本発明の実施形態に係るサンプルの設定方法は、特定の期間の間に、特定の信号源により送信され受信装置により受信された第２の無線信号の第２の信号品質を得て、特定の期間の間に、特定の信号源により送信され受信装置により受信された第２の無線信号の第２の信号品質に従って、信号品質特性スペクトルを生成し、信号品質特性スペクトルを解析して解析結果を得て、解析結果に従って所定の特性サンプルを設定し、その後、第１の信号品質の乱れが生じた時、第１の信号品質の乱れが生じた時の信号品質特性を得て、信号品質特性が所定の特性サンプルに適合する場合、特定の操作の実行を起動するステップを実行する。このようにして、検知状態はユーザの実際の応用環境と近く、その結果、検知精度が改善される。
【００９４】
本発明の以下の装置の実施形態は、本発明の方法の実施形態を実行するために用いられてもよい。本発明の装置の実施形態において開示されていない詳細に対して、本発明の方法の実施形態への参照がなされる。
【００９５】
図５は、例となる実施形態に係る特定操作の起動装置を示すブロック図である。図２、３Ａ、４Ａのいずれか１つに示した方法を実行するために、特定操作の起動装置は、図１に示す実装環境の制御装置１３０及び／又はサーバ１５０に適用されてもよい。図５に示すように、特定操作の起動装置は、第１の取得モジュール５０１、第２の取得モジュール５０２、検知モジュール５０３、及び、起動モジュール５０４を含むが、これらに限られるものではない。
【００９６】
第１の取得モジュール５０１は、特定の信号源により送信され受信装置により受信された第１の無線信号の第１の信号品質を得るように構成されている。
【００９７】
第２の取得モジュール５０２は、第１の信号品質の乱れが生じたことが検知された場合、第１の信号品質の乱れが生じた時の信号品質特性を得るように構成されている。
【００９８】
検知モジュール５０３は、信号品質特性が所定の特性サンプルに適合するか否か検知するように構成されている。
【００９９】
起動モジュール５０４は、信号品質特性が所定の特性サンプルに適合する場合、特定の操作の実行を起動するように構成されている。
【０１００】
要約すると、特定の信号源より送信され受信装置により受信された第１の無線信号の第１の信号品質を得ることと、第1の信号品質の乱れが生じたことが検知された場合、第1の信号品質の乱れが生じた時の信号品質特性を得ることと、信号品質特性が所定の特性サンプルに適合するか否かを検知することと、信号品質特性が所定の特性サンプルに適合した場合、特定の操作の実行を起動することにより、本発明の実施形態に係る特定操作の起動装置は、特定の信号源より送信され受信装置により受信された第１の無線信号の第１の信号品質に生じた乱れに基づいて、人や物の通過があることを判定した後、実行されるべき特定の操作を起動する。その結果、無線通信技術の応用シナリオを拡大する効果が達成される。
【０１０１】
図６は、例となる実施形態に係る特定操作の起動装置を示すブロック図である。図２、３Ａ、４Ａのいずれか１つに示した方法を実行するために、特定操作の起動装置は、図１に示す実装環境の制御装置１３０及び／又はサーバ１５０に適用されてもよい。図６に示すように、特定操作の起動装置は、第１の取得モジュール５０１、第２の取得モジュール５０２、検知モジュール５０３、及び、起動モジュール５０４を含むが、これらに限られるものではない。
【０１０２】
第１の取得モジュール５０１は、特定の信号源により送信され受信装置により受信された第１の無線信号の第１の信号品質を得るように構成されている。
【０１０３】
第２の取得モジュール５０２は、第１の信号品質の乱れが生じたことが検知された場合、第１の信号品質の乱れが生じた時の信号品質特性を得るように構成されている。
【０１０４】
検知モジュール５０３は、信号品質特性が所定の特性サンプルに適合するか否か検知するように構成されている。
【０１０５】
起動モジュール５０４は、信号品質特性が所定の特性サンプルに適合する場合、特定の操作の実行を起動するように構成されている。
【０１０６】
代替的に、特定操作の起動装置は、更に、第３の取得モジュール５０５、スペクトル生成モジュール５０６、解析モジュール５０７、設定モジュール５０８を含む。
【０１０７】
第３の取得モジュール５０５は、第１の取得モジュール５０１が特定の信号源により送信され受信装置により受信された第１の無線信号の第１の信号品質を得る前に、サンプル設定期間の間に、特定の信号源により送信され受信装置により受信された第２の無線信号の第２の信号品質を得るように構成されている。ここで、サンプル設定期間とは、所定の特性サンプルを設定するための指定された期間である。
【０１０８】
スペクトル生成モジュール５０６は、サンプル設定期間の間に、特定の信号源により送信され受信装置により受信された第２の無線信号の第２の信号品質に従って、信号品質特性スペクトルを生成するように構成されている。ここで、信号品質特性スペクトルは、サンプル設定期間の間の各時刻に対応して信号品質を示すように構成されている。
【０１０９】
解析モジュール５０７は、、信号品質特性スペクトルを解析して解析結果を得るように構成されている。
【０１１０】
設定モジュール５０８は、解析結果に従って所定の特性サンプルを設定するように構成されている。
【０１１１】
代替的に、サンプル設定期間は、開始時刻としての第１の時刻と所定の長さをもつ期間であり、又は、サンプル設定期間は、開始時刻としての第１の時刻と終了時刻としての第２の時刻をもつ期間である。
ここで、第１の時刻は、所定の特性サンプルの設定を開始する操作を受信した時刻である。第２の時刻は、所定の特性サンプルの設定を停止する操作を受信した時刻である。
【０１１２】
代替的に、起動モジュール５０４は、第１の探索サブモジュール５０４ａと第１の起動サブモジュール５０４ｂとを含む。
【０１１３】
第１の探索サブモジュール５０４ａは、所定の特性サンプルに従って、特定の操作、及び、特定の操作を実行するインテリジェント家庭用装置を探索するように構成されている。
【０１１４】
第１の起動サブモジュール５０４ｂは、特定の操作を実行するためにインテリジェント家庭用装置を起動するように構成されている。
【０１１５】
代替的に、受信装置は、２以上の信号受信機を含み、起動モジュール５０４は、決定サブモジュール５０４ｃ、第２の探索サブモジュール５０４ｄ、及び、第２の起動サブモジュール５０４ｅを含む。
【０１１６】
決定サブモジュール５０４ｃは、特定の操作の実行を起動する前に、２以上の信号受信機により受信された無線信号の第１の信号品質に生じる乱れの順位を決定するように構成されている。
【０１１７】
第２の探索サブモジュール５０４ｄは、順位と所定の特性サンプルに従って、特定の操作、及び、特定の操作を実行するインテリジェント家庭用装置を探索するように構成されている。
【０１１８】
第２の起動サブモジュール５０４ｅは、特定の操作を実行するために、インテリジェント家庭用装置を起動するように構成されている。
【０１１９】
代替的に、特定の信号源は、お互いに隣接して配置される２以上の信号源を含み、第２の取得モジュール５０２は、更に、２以上の信号源により送信され受信装置により受信された無線信号の第１の信号品質の乱れが同時に起こることが検知された場合、２以上の信号源により送信され受信装置により受信された無線信号の第１の信号品質における複数の信号品質特性を得るように構成されている。
【０１２０】
要約すると、特定の信号源より送信され受信装置により受信された第１の無線信号の第１の信号品質を得ることと、第1の信号品質の乱れが生じたことが検知された場合、第1の信号品質の乱れが生じた時の信号品質特性を得ることと、信号品質特性が所定の特性サンプルに適合するか否かを検知することと、信号品質特性が所定の特性サンプルに適合した場合、特定の操作の実行を起動することにより、本発明の実施形態に係る特定操作の起動装置は、特定の信号源より送信され受信装置により受信された第１の無線信号の第１の信号品質に生じた乱れに基づいて、人や物の通過があることを判定した後、実行されるべき特定の操作を起動する。その結果、無線通信技術の応用シナリオを拡大する効果が達成される。
【０１２１】
加えて、本発明の実施形態に係る特定操作の起動方法は、特定の期間の間に、特定の信号源により送信され受信装置により受信された第２の無線信号の第２の信号品質を得て、特定の期間の間に、特定の信号源により送信され受信装置により受信された第２の無線信号の第２の信号品質に従って、信号品質特性スペクトルを生成し、信号品質特性スペクトルを解析して解析結果を得て、解析結果に従って所定の特性サンプルを設定し、その後、第１の信号品質の乱れが生じた時、第１の信号品質の乱れが生じた時の信号品質特性を得て、信号品質特性が所定の特性サンプルに適合する場合、特定の操作の実行を起動するステップを実行する。このようにして、検知状態はユーザの実際の応用環境と近く、その結果、検知精度が改善される。
【０１２２】
図７は、例となる実施形態に係る装置７００を示すブロック図である。装置７００は、様々な状況や性質のため相対的に大きな違いをもってもよいが、装置７００は、１つ以上の中央処理装置（ＣＰＵ）７２２（例えば、１つ以上のプロセッサ）、メモリ７３２、アプリケーション７４２やデータ７４４を記憶するための１つ以上の記憶媒体７３０を含むであろう。メモリ７３２と記憶媒体７３０は、一時的な記憶メモリ、又は、非一時的な記憶メモリである。記憶媒体７３０に記憶されるプログラムは、１つ以上のモジュール（図示しない）を含み、各モジュールは、一連の命令操作を含み、一連の命令操作は、図２又は図３で示したステップの全て又は一部を実装するように構成されている。更に、中央処理装置７２２は、装置７００上の記憶媒体７３０に記憶された一連の命令操作を実行するため、記憶媒体７３０と通信するように構成されている。
【０１２３】
装置７００は、１つ以上の電源７２６、１つ以上の有線又は無線ネットワークインターフェース７５０、１つ以上の入出力（Ｉ／Ｏ）インターフェース７５８、１つ以上のキーボード７５７、及び／又は、例えば、ＷｉｎｄｏｗｓＳｅｒｖｅｒ（登録商標）、Ｍａｃ  ＯＳ  Ｘ（登録商標）、Ｕｎｉｘ（登録商標）、Ｌｉｎｕｘ（登録商標）、ＦｒｅｅＢＳＤ（登録商標）などの１つ以上のオペレーティングシステム７４１を含んでもよい。
【０１２４】
上述の実施形態における装置に関して、個々のモジュールに対する操作を実行するための特定の手法は、方法に関する実施形態において詳細に記述したので、ここで再び詳細に説明しない。
【０１２５】
本発明の実施形態において、特定の操作を起動するシステムが提供され、このシステムは、受信装置と、特定の信号源と、本発明の実施形態の上述の第２又は第３の側面に係る特定操作の起動装置とを含む。受信装置は、図１に示した実装環境の受信装置１１０であってよく、特定の信号源は、図１に示した実装環境における信号源１２０であってよい。
【０１２６】
特定操作の起動装置は、受信装置の一部であるか、又は、特定操作の起動装置は、受信装置から分離された装置であり、例えば、特定操作の起動装置は、図１に示す実装環境における制御装置１３０又はサーバ１５０の一部として実現されてもよい。
【０１２７】
本発明は、上述し添付図面で説明したそのとおりの構成に限定されるものではなく、その範囲から離れることなく様々な修正および変更がなされることが可能であることが理解されるであろう。本発明の範囲は、添付の特許請求の範囲によってのみ限定される、ということが意図されている。
【符号の説明】
【０１２８】
１１０・・・・・受信装置
１２０・・・・・信号源
１３０・・・・・制御装置
１４０・・・・・インテリジェント家庭用装置
１５０・・・・・サーバ
３１０・・・・・受信装置
３１１・・・・・第１の信号受信機
３１２・・・・・第２の信号受信機
３２０・・・・・特定の信号源
３３０、３４０・通過方向を示す矢印
５０１・・・・・第１の取得モジュール
５０２・・・・・第２の取得モジュール
５０３・・・・・検知モジュール
５０４・・・・・起動モジュール
５０４ａ・・・・第１の探索サブモジュール
５０４ｂ・・・・第１の起動サブモジュール
５０４ｃ・・・・決定サブモジュール
５０４ｄ・・・・第２の探索サブモジュール
５０４ｅ・・・・第２の起動サブモジュール
５０５・・・・・第３の取得モジュール
５０６・・・・・スペクトル生成モジュール
５０７・・・・・解析モジュール
５０８・・・・・設定モジュール
７００・・・・・装置
【図１】
0006494615.tif 000002
【図２】
0006494615.tif 000003
【図３Ａ】
0006494615.tif 000004
【図３Ｂ】
0006494615.tif 000005
【図４Ａ】
0006494615.tif 000006
【図４Ｂ】
0006494615.tif 000007
【図５】
0006494615.tif 000008
【図６】
0006494615.tif 000009
【図７】
0006494615.tif 000010